(57)【要約】【課題】  簡単な制御により流量調節をすることが可能なウォータポンプの駆動制御装置およびその駆動制御装置を用いた冷却水循環装置を提供すること。【解決手段】  第１循環回路１０に冷却水を循環する電動ウォータポンプ１３と第２循環回路２０に冷却水を循環する電動ウォータポンプ２１とに同一構造のウォータポンプを採用し、制御装置１００は、第１ウォータポンプ１３を運転するときには連続駆動し、第２ウォータポンプ２１を運転するときには間欠駆動するという簡単な制御により、異なる循環流量に対応している。【選択図】        図１
2007002764.tif 000002
【特許請求の範囲】
【請求項１】
電動モータ（２１２）駆動方式のウォータポンプ（２１）の駆動制御装置（１００）であって、
前記電動モータ（２１２）へ間欠的に電源供給して前記ウォータポンプ（２１）を駆動することを特徴とするウォータポンプの駆動制御装置。
【請求項２】
所定周期内における前記電動モータ（２１２）への電源供給時間（Ｔ１）と電源遮断時間（Ｔ２）との比を設定することにより、前記ウォータポンプ（２１）の流量を調節することを特徴とする請求項１に記載のウォータポンプの駆動制御装置。
【請求項３】
前記電動モータ（２１２）への間欠的な電源供給は、前記電動モータ（２１２）を回転および停止させるように設定されていることを特徴とする請求項１または２に記載のウォータポンプの駆動制御装置。
【請求項４】
発熱体（２）を冷却する冷却水を循環するための第１循環回路（１０）と、
前記第１循環回路（１０）に設けられ、前記第１循環回路（１０）に冷却水を循環する、電動モータ（１３２）駆動方式の第１ウォータポンプ（１３）と、
発熱体（２）を冷却する冷却水を循環するための第２循環回路（２０）と、
前記第２循環回路（２０）に設けられ、前記第２循環回路（２０）に冷却水を循環する、電動モータ（２１２）駆動方式の第２ウォータポンプ（２１）と、
前記第１ウォータポンプ（１３）および前記第２ウォータポンプ（２１）を駆動制御する駆動制御装置（１００）とを備える冷却水循環装置であって、
前記第１ウォータポンプ（１３）と前記第２ウォータポンプ（２１）とは、主要部を共通としており、
前記駆動制御手段（１００）は、前記第１ウォータポンプ（１３）の前記電動モータ（１３２）を回転させて前記第１ウォータポンプ（１３）を連続駆動するとともに、前記第２ウォータポンプ（２１）の前記電動モータ（２１２）へ間欠的に電源供給して前記第２ウォータポンプ（２１）を駆動し、前記第２循環回路（２０）を循環する冷却水流量を、前記第１循環回路（１０）を循環する冷却水流量に対し低流量となるように調節することを特徴とする冷却水循環装置。
【請求項５】
前記駆動制御手段（１００）は、所定周期内における前記第２ウォータポンプ（２１）の前記電動モータ（２１２）への電源供給時間（Ｔ１）と電源遮断時間（Ｔ２）との比を設定することにより、前記第２循環回路（２０）を循環する冷却水流量を調節することを特徴とする請求項４に記載の冷却水循環装置。
【請求項６】
前記駆動制御手段（１００）は、前記第２ウォータポンプ（２１）の前記電動モータ（２１２）への間欠的な電源供給を、前記電動モータ（２１２）を回転および停止させるように設定することを特徴とする請求項４または５に記載の冷却水循環装置。
【請求項７】
発熱体（２）を冷却する冷却水を循環するための第１循環回路（１０）と、
前記第１循環回路（１０）に設けられ、前記第１循環回路（１０）に冷却水を循環する、電動モータ（１３２）駆動方式の第１ウォータポンプ（１３）と、
発熱体（２）を冷却する冷却水を循環するための第２循環回路（２０）と、
前記第２循環回路（２０）に設けられ、前記第２循環回路（２０）に冷却水を循環する、電動モータ（２１２）駆動方式の第２ウォータポンプ（２１）と、
前記第１ウォータポンプ（１３）および前記第２ウォータポンプ（２１）を駆動制御する駆動制御装置（１００）とを備える冷却水循環装置であって、
前記第１ウォータポンプ（１３）と前記第２ウォータポンプ（２１）とは、主要部を共通としており、
前記駆動制御手段（１００）は、前記第１ウォータポンプ（１３）の前記電動モータ（１３２）へ間欠的に電源供給するとともに、前記第２ウォータポンプ（２１）の前記電動モータ（２１２）へ間欠的に電源供給して、前記第１ウォータポンプ（１３）および前記第２ウォータポンプ（２１）をそれぞれ駆動し、前記第１循環回路（１０）を循環する冷却水流量および前記第２循環回路（２０）を循環する冷却水流量をそれぞれ調節することを特徴とする冷却水循環装置。
【請求項８】
前記駆動制御手段（１００）は、所定周期内における前記第１ウォータポンプ（１３）の前記電動モータ（１３２）および前記第２ウォータポンプ（２１）の前記電動モータ（２１２）のそれぞれへの電源供給時間（Ｔ１）と電源遮断時間（Ｔ２）との比を設定することにより、前記第１循環回路（１０）を循環する冷却水流量および前記第２循環回路（２０）を循環する冷却水流量をそれぞれ調節することを特徴とする請求項７に記載の冷却水循環装置。
【請求項９】
前記駆動制御手段（１００）は、前記第１ウォータポンプ（１３）の前記電動モータ（１３２）および前記第２ウォータポンプ（２１）の前記電動モータ（２１２）のそれぞれへの間欠的な電源供給を、前記電動モータ（２１２）のそれぞれを回転および停止させるように設定することを特徴とする請求項７または８に記載の冷却水循環装置。
【発明の詳細な説明】
【技術分野】
【０００１】
本発明は、ウォータポンプの駆動制御装置およびその駆動制御装置を用いた冷却水循環装置に関する。
【背景技術】
【０００２】
従来技術として、下記特許文献１に開示されたモータ駆動方式ウォータポンプの駆動制御装置がある。この駆動制御装置が駆動制御するモータはブラシレスモータであり、駆動制御装置は、チョッパ回路、インバータ回路、およびこれらの回路に制御信号を出力する制御回路等を備えている。そして、駆動制御装置は、モータに印加する三相交流電圧をモータのロータ位置に応じて制御してモータ回転速度を調節し、ウォータポンプによる冷却水循環回路に循環する冷却水流量を調節するようになっている。
【特許文献１】特開２００２−１４２４８４号公報
【発明の開示】
【発明が解決しようとする課題】
【０００３】
しかしながら、上記従来技術のウォータポンプの駆動制御装置では、ウォータポンプ流量を調節するために、モータに印加する三相交流電圧を制御してモータ回転速度を調節するので、駆動制御装置の制御動作が非常に複雑になるという問題がある。
【０００４】
本発明は、上記点に鑑みてなされたものであり、簡単な制御により流量調節をすることが可能なウォータポンプの駆動制御装置およびその駆動制御装置を用いた冷却水循環装置を提供することを目的とする。
【０００５】
本発明は、同一の構造のウォータポンプを流量が異なる装置、あるいは装置上の流量が異なる部位に用いることができるウォータポンプの駆動制御装置およびその駆動制御装置を用いた冷却水循環装置を提供することを他の目的とする。
【課題を解決するための手段】
【０００６】
上記目的を達成するため、請求項１に記載の発明のウォータポンプの駆動制御装置では、電動モータ（２１２）駆動方式のウォータポンプ（２１）の駆動制御装置（１００）であって、電動モータ（２１２）へ間欠的に電源供給して前記ウォータポンプ（２１）を駆動することを特徴としている。
【０００７】
これによると、電動モータ（２１２）へ間欠的に電源供給する（オン−オフする）簡単な制御により、ウォータポンプ（２１）を駆動し、ウォータポンプ（２１）の流量を調節することができる。
【０００８】
また、請求項２に記載の発明の駆動制御装置のように、所定周期内における電動モータ（２１２）への電源供給時間（Ｔ１）と電源遮断時間（Ｔ２）との比を設定することにより、容易にウォータポンプ（２１）の流量を調節することができる。
【０００９】
また、請求項３に記載の発明の駆動制御装置では、電動モータ（２１２）への間欠的な電源供給は、電動モータ（２１２）を回転および停止させるように設定されていることを特徴としている。
【００１０】
これによると、電動モータ（２１２）を間欠的に回転、停止させる程度の、比較的低いスイッチング周期で電源供給を断続できる駆動回路を用いることができる。
【００１１】
また、請求項４に記載の発明の冷却水循環装置では、
発熱体（２）を冷却する冷却水を循環するための第１循環回路（１０）と、
第１循環回路（１０）に設けられ、第１循環回路（１０）に冷却水を循環する、電動モータ（１３２）駆動方式の第１ウォータポンプ（１３）と、
発熱体（２）を冷却する冷却水を循環するための第２循環回路（２０）と、
第２循環回路（２０）に設けられ、第２循環回路（２０）に冷却水を循環する、電動モータ（２１２）駆動方式の第２ウォータポンプ（２１）と、
第１ウォータポンプ（１３）および第２ウォータポンプ（２１）を駆動制御する駆動制御装置（１００）とを備える冷却水循環装置であって、
第１ウォータポンプ（１３）と第２ウォータポンプ（２１）とは、主要部を共通としており、
駆動制御手段（１００）は、第１ウォータポンプ（１３）の電動モータ（１３２）を回転させて第１ウォータポンプ（１３）を連続駆動するとともに、第２ウォータポンプ（２１）の電動モータ（２１２）へ間欠的に電源供給して前記第２ウォータポンプ（２１）を駆動し、第２循環回路（２０）を循環する冷却水流量を、第１循環回路（１０）を循環する冷却水流量に対し低流量となるように調節することを特徴としている。
【００１２】
これによると、第２循環回路（２０）を循環する冷却水流量を、第１循環回路（１０）を循環する冷却水流量に対し低流量とする場合であっても、第１循環回路（１０）に冷却水を循環する第１ウォータポンプ（１３）と第２循環回路（２０）に冷却水を循環する第２ウォータポンプ（２１）とに主要部が同一構造のものを採用することができる。
【００１３】
そして、駆動制御手段（１００）は、第１ウォータポンプ（１３）の電動モータ（１３２）へ連続的に電源供給して回転させて前記第１ウォータポンプ（１３）を連続駆動する。さらに、第２ウォータポンプ（２１）の電動モータ（２１２）へ間欠的に電源供給する（オン−オフする）簡単な制御により、第２ウォータポンプ（２１）を駆動し、第２ウォータポンプ（２１）の流量を第１ウォータポンプ（１３）の流量より小さく調節することができる。
【００１４】
また、請求項５に記載の発明の冷却水循環装置のように、駆動制御手段（１００）は、所定周期内における第２ウォータポンプ（２１）の電動モータ（２１２）への電源供給時間（Ｔ１）と電源遮断時間（Ｔ２）との比を設定することにより、容易に第２循環回路（２０）を循環する冷却水流量を調節することができる。
【００１５】
また、請求項６に記載の発明の冷却水循環装置では、駆動制御手段（１００）は、第２ウォータポンプ（２１）の電動モータ（２１２）への間欠的な電源供給を、電動モータ（２１２）を回転および停止させるように設定することを特徴としている。
【００１６】
これによると、第２ウォータポンプ（２１）の電動モータ（２１２）を間欠的に回転、停止させる程度の、比較的低いスイッチング周期で電源供給を断続できる駆動回路を用いることができる。
【００１７】
また、請求項７に記載の発明の冷却水循環装置では、
発熱体（２）を冷却する冷却水を循環するための第１循環回路（１０）と、
第１循環回路（１０）に設けられ、第１循環回路（１０）に冷却水を循環する、電動モータ（１３２）駆動方式の第１ウォータポンプ（１３）と、
発熱体（２）を冷却する冷却水を循環するための第２循環回路（２０）と、
第２循環回路（２０）に設けられ、第２循環回路（２０）に冷却水を循環する、電動モータ（２１２）駆動方式の第２ウォータポンプ（２１）と、
第１ウォータポンプ（１３）および第２ウォータポンプ（２１）を駆動制御する駆動制御装置（１００）とを備える冷却水循環装置であって、
第１ウォータポンプ（１３）と第２ウォータポンプ（２１）とは、主要部を共通としており、
駆動制御手段（１００）は、第１ウォータポンプ（１３）の電動モータ（１３２）へ間欠的に電源供給するとともに、第２ウォータポンプ（２１）の電動モータ（２１２）へ間欠的に電源供給して、第１ウォータポンプ（１３）および第２ウォータポンプ（２１）をそれぞれ駆動し、第１循環回路（１０）を循環する冷却水流量および第２循環回路（２０）を循環する冷却水流量をそれぞれ調節することを特徴としている。
【００１８】
これによると、第１循環回路（１０）を循環する冷却水流量と第２循環回路（２０）を循環する冷却水流量とが異なる場合であっても、第１循環回路（１０）に冷却水を循環する第１ウォータポンプ（１３）と第２循環回路（２０）に冷却水を循環する第２ウォータポンプ（２１）とに主要部が同一構造のものを採用することができる。
【００１９】
そして、第１ウォータポンプ（１３）の電動モータ（１３２）および第２ウォータポンプ（２１）の電動モータ（２１２）のそれぞれへ間欠的に電源供給する（オン−オフする）簡単な制御により、両ウォータポンプ（１３、２１）をそれぞれ駆動し、両ウォータポンプ（１３、２１）の流量を調節することができる。
【００２０】
また、請求項８に記載の発明の冷却水循環装置のように、駆動制御手段（１００）は、所定周期内における第１ウォータポンプ（１３）の電動モータ（１３２）および第２ウォータポンプ（２１）の電動モータ（２１２）のそれぞれへの電源供給時間（Ｔ１）と電源遮断時間（Ｔ２）との比を設定することにより、容易に第１循環回路（１０）を循環する冷却水流量および第２循環回路（２０）を循環する冷却水流量をそれぞれ調節することができる。
【００２１】
また、請求項９に記載の発明の冷却水循環装置では、駆動制御手段（１００）は、第１ウォータポンプ（１３）の電動モータ（１３２）および第２ウォータポンプ（２１）の電動モータ（２１２）のそれぞれへの間欠的な電源供給を、それぞれの電動モータ（２１２）を回転および停止させるように設定することを特徴としている。
【００２２】
これによると、第１ウォータポンプ（１３）の電動モータ（１３２）および第２ウォータポンプ（２１）の電動モータ（２１２）を間欠的に回転、停止させる程度の、比較的低いスイッチング周期で電源供給を断続できる駆動回路を用いることができる。
【００２３】
なお、上記各手段に付した括弧内の符号は、後述する実施形態記載の具体的手段との対応関係を示す一例である。
【発明を実施するための最良の形態】
【００２４】
以下、本発明の実施の形態を図に基づいて説明する。
【００２５】
図１は、本発明を適用した一実施形態における冷却水循環装置１の概略構成図である。
【００２６】
図１に示すように、本実施形態の冷却水循環装置１は、車両に搭載された発熱体であるエンジン２を冷却するための冷却水をエンジン２外部に循環するものであって、第１循環回路１０および第２循環回路２０の複数系統の循環回路を有している。
【００２７】
第１循環回路１０には、メカポンプ（エンジン駆動式ウォータポンプ）１１が設けられており、メカポンプ１１は、エンジン２の駆動力が図示しないベルト等により伝達されると、第１循環回路１０にエンジン冷却水を循環するようになっている。
【００２８】
第１循環回路１０には、高温の冷却水を貯留することで内部に熱量を蓄える蓄熱タンク１４が設けられている。
【００２９】
第１循環回路１０の蓄熱タンク１４より上流側の部位と下流側の部位とは、蓄熱タンク１４をバイパスするラジエータ回路１５により接続されている。ラジエータ回路１５には、冷却水の熱量を外部空気に放熱するラジエータ１６が配設されている。
【００３０】
第１循環回路１０とラジエータ回路１５との分岐点（ラジエータ回路１５上流側接続点）には、サーモスタット（サーモスタット弁）１２が設けられている。サーモスタット１２は、第１循環回路１０を流れる冷却水の温度が所定温度以上になったときに、ラジエータ回路１５側を開弁して、ラジエータ１６に冷却水を流通し過熱された冷却水を冷却するようになっている。
【００３１】
第１循環回路１０のサーモスタット１２と蓄熱タンク１４との間には、第１の電動ウォータポンプ１３が配設されている。この電動ウォータポンプ１３は、図示しないインペラを内蔵したポンプ１３１と、ポンプ１３１のインペラを回転駆動するための電動モータ１３２とのより構成されている。
【００３２】
電動モータ１３２は、内部構造の図示を省略しているが、印加された直流電圧により、コンミテータを介してロータの巻線に通電されて回転する周知のＤＣモータであり、ロータの回転軸がポンプ１３１内に延設され前述のインペラに接続している。
【００３３】
一方、第２循環回路２０は、車室内にまで取り回されており、第２循環回路２０には、車室内の図示しない空調ケース内に配置されたヒータコア２２が設けられている。
【００３４】
第２循環回路２０には、第２循環回路２０内にエンジン冷却水を循環するため第２の電動ウォータポンプ２１が配設されている。この電動ウォータポンプ２１は、図示しないインペラを内蔵したポンプ２１１と、ポンプ２１１のインペラを回転駆動するための電動モータ２１２とのより構成されている。
【００３５】
電動ウォータポンプ２１は、エンジン２がアイドリングストップされている時等のメカポンプ１１非駆動時に、第２循環回路２０内に冷却水を循環するために設けられている。
【００３６】
電動ウォータポンプ２１は、第１循環回路１０の電動ウォータポンプ１３と構造および仕様を同一（共通）としている。すなわち、ポンプ２１１はポンプ１３１と同一のものであり、電動モータ２１２は電動モータ１３２と同一のものである。また、図示を省略しているが、電動ウォータポンプ２１の電動モータ２１２とポンプ２１１との間に設けられた軸シール機構も電動ウォータポンプ１３の軸シール機構と同一構造をなしている。
【００３７】
電動ウォータポンプ１３は、本実施形態における第１ウォータポンプであり、電動ウォータポンプ２１は、本実施形態における第２ウォータポンプである。そして、両ウォータポンプ１３、２１は、制御装置（駆動制御装置）１００により駆動制御されるようになっている。
【００３８】
次に、上記構成に基づき冷却水循環装置１の作動について説明する。
【００３９】
まず、制御装置１００の両電動ウォータポンプ１３、２１の制御動作について説明する。図２は、制御装置１００の概略制御動作を示すフローチャートである。
【００４０】
図２に示すように、制御装置１００は、車両のイグニッションスイッチがオンされると、まず、空調装置のスイッチがオンされ空調の要求がなされているか否か判断する（ステップ１１０）。空調要求があると判断した場合には、電動ウォータポンプ２１を運転開始（既に運転している場合には運転継続）する（ステップ１２０）。
【００４１】
ステップ１２０において電動ウォータポンプ２１を運転するときには、制御装置１００は、電動ウォータポンプ２１の電動モータ２１２を回転および停止して（オン−オフして）、電動ウォータポンプ２１を間欠駆動する。
【００４２】
図４に示すように、電動ウォータポンプ２１を運転するときには、制御装置１００は、電動モータ２１２への電源供給の状態を、電源供給と電源遮断との間で周期的に切り換える。この実施形態では、制御装置１００は、電動モータ２１２への、電源電圧印加をオン−オフ切り替えする。この結果、電源供給中に電動モータ２１２は回転を開始して回転数が上昇し、電源遮断中に電動モータ２１２は回転数が低下する。この実施形態では、電源遮断中に電動モータ２１２は、その回転を停止することがある。
【００４３】
この実施形態では、制御装置１００によって、電動モータ２１２を回転および停止するものとして説明する。よって、この実施形態では、電源供給時間を回転時間と呼び、電源遮断時間を停止時間と呼ぶ。電源は、車両用として一般的な直流電源を用いることができ、例えば１２Ｖあるいは２４Ｖを用いることができる。
【００４４】
制御装置１００は、所定周期内における電動モータ２１２の回転時間Ｔ１と停止時間Ｔ２との比を制御することにより、電動ウォータポンプ２１運転時の流量を連続駆動運転時より低流量に調節している。
【００４５】
本実施形態では、空調時にヒータコア２２に流通されるべき冷却水量は毎分７Ｌとなっている。ところが、電動ウォータポンプ２１は、電動ウォータポンプ１３と共通化しているために、連続駆動運転すると毎分２０Ｌの冷却水を循環する能力を有している。
【００４６】
そこで、制御装置１００は、本例の所定周期である１０秒間における電動モータ２１２の回転時間Ｔ１を３．５秒とするとともに停止時間Ｔ２を６．５秒としている。これにより、電動ウォータポンプ２１を間欠駆動して、第２循環回路２０に循環する冷却水量を毎分７Ｌとしている。
【００４７】
ステップ１１０において、空調要求がないと判断した場合には、電動ウォータポンプ２１を運転中止（既に運転中止している場合には運転中止継続）する（ステップ１３０）。
【００４８】
制御装置１００は、ステップ１２０、１３０のいずれかを実行したら、エンジン１が停止中であるか否かを判断する（ステップ１４０）。エンジン１が停止中であると判断した場合には、エンジン冷却水温が所定温度以下であるか否か判断する（ステップ１５０）。
【００４９】
ステップ１５０における所定温度とは、サーモスタット１２の作動により、サーモスタット１２設置分岐点より蓄熱タンク１４側に冷却水が流通する状態と冷却水非流通状態とが切り替わる温度である。
【００５０】
すなわち、冷却水温が所定温度以下の場合には、サーモスタット１２の下流側開閉状態は、第１循環回路１０（蓄熱タンク１４側）全開かつラジエータ回路１５（ラジエータ１６側）全閉、もしくは第１循環回路２０およびラジエータ回路１５の両者を開く状態である。また冷却水温が所定温度より高い場合には、サーモスタット１２の下流側開閉状態は、第１循環回路１０全閉かつラジエータ回路１５全開である。
【００５１】
ステップ１５０において冷却水温が所定温度以下であると判断した場合には、電動ウォータポンプ１３を運転開始（既に運転している場合には運転継続）する（ステップ１６０）。換言すれば、メカポンプ１１が駆動しておらず、サーモスタット１２が第１循環回路１０蓄熱タンク１４側を開いているときには、電動ウォータポンプ１３を運転して冷却水を第１循環回路１０に循環する。
【００５２】
ステップ１６０において電動ウォータポンプ１３を運転するときには、制御装置１００は、電動ウォータポンプ１３の電動モータ１３２へ連続的に電源供給して（オンして）、電動モータ１３２を回転して、電動ウォータポンプ１３を連続駆動する。
【００５３】
図３に示すように、電動ウォータポンプ１３を運転するときには、制御装置１００は、電動モータ１３２への電圧印加を連続することで、第１循環回路１０に循環する冷却水量を毎分２０Ｌとしている。
【００５４】
ステップ１４０においてエンジン２作動中と判断した場合、およびステップ１５０において冷却水温が所定温度より高いと判断した場合には、電動ウォータポンプ１３を運転中止（既に運転中止している場合には運転中止継続）する（ステップ１７０）。
【００５５】
そして、制御装置１００は、ステップ１６０、１７０のいずれかを実行したらステップ１１０へリターンする。
【００５６】
上記のように、制御装置１００が両電動ウォータポンプ１３、２１を駆動制御することにより、エンジン冷却水が所定温度以上に過熱されたときには、第１循環回路１０からラジエータ回路１５を流れる冷却水が、ラジエータ１６で放熱冷却してエンジン１に還流する。また、冷却水の温度が低いときにはラジエータ１６での放熱を禁止する、もしくは放熱量を抑制する。これにより、エンジン冷却水の温度は、エンジン効率の良好な温度帯に維持される。
【００５７】
また、エンジン２始動時等の冷却水温が低い場合には、蓄熱タンク１４への冷却水の流入により、蓄熱タンク１４内に既に（先回のエンジン運転時に）蓄えられ保温されていた比較的高温の冷却水がエンジン２に流入し、エンジン２が速やかに暖機されて、エンジン効率が良好となる。
【００５８】
一方、ヒータコア２２に冷却水が流通され、冷却水の熱量が、車室内に吹き出す空気の加熱に利用される。
【００５９】
上述の構成および作動によれば、第１循環回路１０に冷却水を循環する電動ウォータポンプ１３と第２循環回路２０に冷却水を循環する電動ウォータポンプ２１とに同一構造のウォータポンプを採用して、第２循環回路２０を循環する冷却水流量を、第１循環回路１０を循環する冷却水流量に対し低流量とすることができる。
【００６０】
すなわち、複数の冷却水循環回路を有する冷却水循環装置において、各循環回路に循環すべき冷却水量が異なる場合であっても、各循環回路の電動ウォータポンプを共通化することができ、所望流量毎に能力が異なるウォータポンプを設定する必要がない。
【００６１】
また、制御装置１００は、所定周期内における第２ウォータポンプ２１の電動モータ２１２の回転時間Ｔ１と停止時間Ｔ２との比を制御することにより、容易に第２循環回路２０を循環する冷却水流量を第１循環回路１０より低流量に調節することができる。
【００６２】
同一構造のモータにより異なる流量を設定する手段として、ＤＣブラシレスモータ等の同期モータを採用し、このモータに印加する三相交流電圧をモータロータ位置に応じて制御してモータ回転速度を調節する方法もある。ところが、この方法の場合には、モータ（ウォータポンプ）や制御装置の構成が極めて複雑となり、制御も複雑となる。
【００６３】
本実施形態によれば、電動モータ１３２、２１２の構成も簡単であり、制御装置１００による電動ウォータポンプ２１低流量化も電動モータ２１２への電圧印加のオン−オフを行なうだけであるので、回路構成や制御を極めて簡素化することができる。
【００６４】
この実施形態では、電動モータの回転、電動モータの停止を周期的に繰り返すことで、平均的に所要の流量を供給している。このため、電動モータが回転、停止を周期的に繰返し、その回転が間欠的に実行される程度の比較的低いスイッチング周期で電源供給を断続できる駆動回路を用いることができる。
【００６５】
（他の実施形態）
上記一実施形態では、第１、第２ウォータポンプ１３、２１に同一構造のウォータポンプを採用し、第１ウォータポンプ１３を運転するときには連続駆動し、第２ウォータポンプ２１を運転するときには間欠駆動して、両ウォータポンプの流量を異なるようにしていたが、第１、第２ウォータポンプに同一構造のウォータポンプを採用し、両ウォータポンプとも運転するときには間欠駆動するものであってもよい。
【００６６】
この場合には、第１ウォータポンプの電動モータおよび第２ウォータポンプの電動モータのそれぞれの回転時間と停止時間との比を制御することにより、容易に両ウォータポンプが循環する冷却水流量をそれぞれ調節することができる。
【００６７】
上記一実施形態のように、第１、第２循環回路１０、２０のうち、高流量を必要とする第１循環回路１０に合わせてウォータポンプを共通化設定し、第１循環回路１０の第１ウォータポンプ１３を運転するときには連続駆動し、第２ウォータポンプ２１を運転するときには間欠駆動すれば、ウォータポンプ共通化による能力ロスを最小限にすることができる。
【００６８】
これに対し、複数の循環回路を有する複数の冷却水循環装置に亘ってウォータポンプを共通化設定する場合には、全ての循環回路のうち最高流量を必要とする循環回路にウォータポンプ能力を対応させる必要がある。
【００６９】
このような、ウォータポンプ共通化設定を行なう場合には、最高流量の循環回路を有しない冷却水循環装置においては、上記例のように、両循環回路のウォータポンプをそれぞれ間欠駆動して流量調節を行なうことができる。
【００７０】
また、上記一実施形態では、両電動ウォータポンプ１３、２１は、全ての構造（ポンプ、電動モータ、図示を省略した電動モータとポンプとの間に設けられた軸シール機構）を共通化していたが、少なくとも、モータを共通化したものであれば本発明を適用することができる。モータとポンプとを共通化したものが更に好ましく、上記一実施形態のように、軸シール機構まで共通化したものが一層好ましい。
【００７１】
また、上記一実施形態では、冷却水循環装置１は、２つの冷却水循環回路を備えていたが、３つ以上の冷却水循環回路を備える冷却水循環装置にも本発明は適用して有効である。
【００７２】
また、上記一実施形態では、冷却水循環装置の冷却水が冷却する発熱体は、車両に搭載されたエンジンであったが、発熱体はこれに限定されるものではない。例えば、車両搭載された他の発熱機器であってもよいし、定置式のエンジン等の発熱機器であってもかまわない。
【００７３】
制御装置１００は、電源供給中に電動モータ２１２が回転を開始して回転数を上昇させ、電源遮断中に電動モータ２１２が回転数を低下させるが停止させないように構成されることができる。この構成では、電源遮断時間は、電動モータ２１２が停止しない程度の短時間に設定される。この構成でも、制御装置１００は、電動モータ２１２への電源供給を間欠的に行い、電動モータ２１２の回転数を間欠的に上昇、下降させて、電動モータ２１２を駆動する。この構成では、電源供給時間が回転上昇時間に相当し、電源遮断時間が回転低下時間に相当する。制御装置１００が提供する間欠的な電源供給の周期は、水温など電動モータ２１２への作動要求信号の変動周期よりも十分に短く、それでいて電動モータ２１２の回転数が間欠的な電源供給に応答して変動する程度の長い周期に設定することができる。制御装置１００は、比較的応答性が低いスイッチング駆動回路を採用することができる。
【００７４】
一方、制御装置１００は、十分に応答性が高いスイッチング駆動回路を採用してもよい。また、制御装置１００は、電源遮断時間を、電動モータ２１２が停止するほどの長時間から、停止しない程度の短時間までの間で変更可能に構成されることができる。
【図面の簡単な説明】
【００７５】
【図１】本発明を適用した一実施形態における冷却水循環装置１の概略構成図である。
【図２】制御装置１００の概略制御動作を示すフローチャートである。
【図３】電動ウォータポンプ１３の作動例を示す図である。
【図４】電動ウォータポンプ２１の作動例を示す図である。
【符号の説明】
【００７６】
１  冷却水循環装置
２  エンジン（発熱体）
１０  第１循環回路
１３  電動ウォータポンプ（第１ウォータポンプ）
２０  第２循環回路
２１  電動ウォータポンプ（第２ウォータポンプ）
１００  制御装置（駆動制御装置）
１３１、２１１  ポンプ
１３２、２１２  電動モータ
【図１】
2007002764.tif 000003
【図２】
2007002764.tif 000004
【図３】
2007002764.tif 000005
【図４】
2007002764.tif 000006